(57)【要約】  屋根に固定される長尺の架台（１０）と、複数のモジュール固定金具（３０）と、架台（１０）とモジュール固定金具（３０）とで挟持固定される被挟持部（３ｅ）および平板状の太陽電池ユニット（２）の端部を支持する溝部（３ｃ）を有するフレーム部材（３）とを備え、フレーム部材（３）は、被挟持部（３ｅ）が太陽電池ユニット（２）および溝部（３ｃ）を直下方に投影した投影面領域の内側に位置するように形成し、これにより隣接する太陽電池ユニット（２）間の距離を狭くする。【特許請求の範囲】
【請求項１】
屋根に固定される長尺の架台部材と、複数の固定金具と、前記架台部材と固定金具とで挟持固定される被挟持部および平板状の太陽電池ユニットの端部を支持するユニット支持部を有するフレーム部材とを備える太陽電池ユニットの取付装置において、
前記フレーム部材は、前記被挟持部が太陽電池ユニットおよび前記フレーム部材のユニット支持部を直下方に投影した投影面領域の内側に位置するように形成されていることを特徴とする太陽電池ユニットの取付装置。
【請求項２】
前記フレーム部材は、太陽電池ユニットの端部が嵌入される溝部と、該溝部の下板の途中または端部から該下板に対しほぼ直角に曲折して下方に延在する下方延在部と、該下方延在部から側方に突出形成される前記被挟持部とを有することを特徴とする請求項１に記載の太陽電池ユニットの取付装置。
【請求項３】
前記架台部材は段部を有する上凸形状を呈し、
前記フレーム部材は太陽電池ユニットの電気ケーブルが挿通される孔を有するとともに、前記上凸形状の架台部材の段部に設置されるものであり、
一対の対向するフレーム部材および前記架台部材の上面によって囲まれたスペースを電気ケーブルの収納に用いることを特徴とする請求項２に記載の太陽電池ユニットの取付装置。
【請求項４】
前記フレーム部材には、前記上凸形状の架台部材の段部に係合可能な凹部が形成されていることを特徴とする請求項３に記載の太陽電池ユニットの取付装置。
【請求項５】
前記固定金具および架台部材はボルト固定され、
前記一対の対向するフレーム部材間に、内部保護のための上面が平らなカバー体をさらに備えることを特徴とする請求項３に記載の太陽電池ユニットの取付装置。
【請求項６】
前記カバー体は、中央部にガイドレールを有し、
前記固定金具は、前記フレーム部材の被挟持部に当接する締付け部と、前記カバー体のガイドレールに係合してガイド体をガイド支持するガイド支持部とを有することを特徴とする請求項５に記載の太陽電池ユニットの取付装置。
【請求項７】
前記カバー体は、両端部にガイドレールを有し、
前記固定金具は、前記フレーム部材の被挟持部に当接する締付け部と、前記カバー体のガイドレールに係合してガイド体をガイド支持する一対のガイド支持部とを備え、
前記固定金具は、一対の対向するフレーム部材間に、９０度回転した状態で落とし込み可能な長さを有することを特徴とする請求項５に記載の太陽電池ユニットの取付装置。
【請求項８】
屋根に固定される長尺の架台部材と、複数の固定金具と、前記架台部材と固定金具とで挟持固定される被挟持部を有し平板状の太陽電池ユニットの端部を支持するユニット支持部を有するフレーム部材とを備える太陽電池ユニットの取付装置において、
前記フレーム部材は、前記被挟持部が太陽電池ユニットの端部のほぼ直下方に形成されていることを特徴とする太陽電池ユニットの取付装置。
【発明の詳細な説明】
【技術分野】
【０００１】
本発明は、複数の太陽電池セルから成る平板状の太陽電池ユニットを屋根などに取付けるための太陽電池ユニットの取付装置に関するものである。
【背景技術】
【０００２】
太陽電池モジュールは、複数の太陽電池セルから成る平板状の太陽電池本体部である太陽電池ユニットと、該太陽電池ユニットの各端部に取り付けられる枠体としてのフレーム部材とで構成されている。従来、このような太陽電池モジュールを屋根に取り付けるための取付構造としては、例えば特許文献１に示されるようなものがある。図１５，図１６は、特許文献１に示される太陽電池モジュールの取付構造を示すものである。【０００３】
図１５に示すように、太陽電池ユニット（太陽電池本体部）１００は、枠体１０１の嵌合部１０１ａに嵌め込まれており、これにより太陽電池モジュールが構成されている。上方に向かって開口するＣ型架台１０３がねじ１０２によって防水ゴム１１０を介して屋根上に固定されている。枠体１０１のフランジ部１０１ｂを、Ｃ型架台１０３の上面部１０３ａ上に置き、枠体１０１のフランジ部１０１ｂおよびＣ型架台１０３の上面部１０３ａを、カバー固定ボルト１０４の締め込みによって、モジュール間カバー１０５とモジュール止金具１０６とで挟持固定し、これにより相隣接する太陽電池モジュールをＣ型架台１０３に対し固定している。【０００４】
また、特許文献１においては、図１６に示すように、Ｃ型架台１０３の内部を太陽電池モジュールの電気配線スペースとして用いることが開示されている。すなわち、隣接する太陽電池モジュールの各端子ボックス１０７に接続される電気ケーブル１０８をＣ型架台１０３の下方に形成した結線孔１０３ｂを介してＣ型架台１０３の内部に導き、これら各電気ケーブル１０８を適宜結線している。カバー固定ボルト１０４を緩め、モジュール間カバー１０５及びモジュール止金具１０６を取り外すことにより、Ｃ型架台１０３の内部空間を露出させて、結線作業を行う。【０００５】
【特許文献１】特開平１０−１５９２８４号公報
【発明の開示】
【発明が解決しようとする課題】
【０００６】
しかしながら、上記従来技術では、枠体１０１は、太陽電池ユニット１００を支持する嵌合部１０１ａの反対側に、枠体１０１から太陽電池モジュールの外部に突出するようにフランジ部１０１ｂを形成し、該フランジ部１０１ｂがＣ型架台１０３の上面部１０３ａに載るようにして、枠体１０１をＣ型架台１０３に固定するようにしている。このため従来技術では、隣接する太陽電池モジュール間の距離として、対向する２つのフランジ部１０１ｂの突出長と、カバー固定ボルト１０４のネジ部の径とを加えた長さ分だけは少なくとも必要となり、無発電部となる太陽電池モジュール間の距離が長くなって、複数枚の太陽電池モジュールから構成される太陽光発電システム全体の寸法が大きくなるという問題がある。【０００７】
また、上記従来技術では、Ｃ型架台１０３の下部に結線孔１０３ｂを形成して、Ｃ型架台１０３の内部に電気ケーブル１０８を収容しているので、電気ケーブル１０８がモジュール間カバー１０５から深い部位に位置することになり、ケーブルの収納、取出し、結線作業が煩雑となる問題もある。さらに、上記従来技術では、前述したように、太陽電池モジュール間の間隙に、２つのフランジ部１０１ｂが突出されているために、カバー固定ボルト１０４を緩め、モジュール間カバー１０５及びモジュール止金具１０６を取り外した後でも、開口部の間隔が狭くなり、ケーブルの収納、取出し作業などの作業性が良くないという問題がある。【０００８】
本発明は、上記に鑑みてなされたものであって、太陽電池モジュール間の距離を狭くして無発電部領域を小さくし、省スペースで効率の良い太陽光発電システムを実現することができる太陽電池ユニットの取付装置を得ることを目的とする。また、この発明は、ケーブルの結線、収納、取出し作業などを簡便に行うことができる作業性の良い太陽電池ユニットの取付装置を得ることを目的とする。
【課題を解決するための手段】
【０００９】
上述した課題を解決し、目的を達成するために、本発明は、屋根に固定される長尺の架台部材と、複数の固定金具と、前記架台部材と固定金具とで挟持固定される被挟持部および平板状の太陽電池ユニットの端部を支持するユニット支持部を有するフレーム部材とを備える太陽電池ユニットの取付装置において、前記フレーム部材は、前記被挟持部が太陽電池ユニットおよび前記フレーム部材のユニット支持部を直下方に投影した投影面領域の内側に位置するように形成されていることを特徴とする。
【発明の効果】
【００１０】
本発明にかかる太陽電池ユニットの取付装置は、フレーム部材の被挟持部が太陽電池ユニットおよびフレーム部材のユニット支持部を直下方に投影した投影面領域の内側に位置するように形成されているので、隣接する太陽電池ユニット間の距離を従来に比べ狭くすることができる。したがって、無発電部領域が小さくなり、省スペースで効率の良い太陽光発電システムを実現することができるという効果を奏する。
【図面の簡単な説明】
【００１１】
【図１】図１は、本発明の実施の形態１を適用する太陽光発電システムにおける各構成要素の分解斜視図である。
【図２】図２は、隣接配置された太陽電池モジュール間の配置態様を示す斜視図である。
【図３】図３は、隣接配置された太陽電池モジュール間の配置態様を示す断面図である。
【図４】図４は、長辺側のフレーム部材を示す三面図である。
【図５】図５は、短辺側のフレーム部材を示す三面図である。
【図６】図６は、本発明に係る太陽電池ユニットの取付装置の実施の形態１の要部を示す断面図である。
【図７】図７は、実施の形態１における架台と架台固定金具との連結を示すための斜視図である。
【図８】図８は、実施の形態１におけるモジュール固定金具とモジュール間カバーとの連結を示すための斜視図である。
【図９】図９は、架台に対する太陽電池モジュールの設置手順を説明するための斜視図である。
【図１０】図１０は、架台に対する太陽電池モジュールの設置手順を説明するための正面図である。
【図１１】図１１は、切欠きの無いフレーム部材を用いた場合の不具合を説明するための正面図である。
【図１２】図１２は、本発明に係る太陽電池ユニットの取付装置の実施の形態２の要部を示す断面図である。
【図１３】図１３は、本発明に係る太陽電池ユニットの取付装置の実施の形態３の要部を示す断面図である。
【図１４】図１４は、実施の形態３におけるモジュール固定金具とモジュール間カバーとの連結を示すための斜視図である。
【図１５】図１５は、従来技術を示す断面図である。
【図１６】図１６は、従来技術を示す断面図である。
【符号の説明】
【００１２】
１  太陽電池モジュール
２  太陽電池ユニット（太陽電池本体部）
３  フレーム部材（長辺側）
３ａ  ブッシュ（電気ケーブル挿通孔）
３ｃ  溝部
３ｄ  下方延在部
３ｅ  被挟持部
３ｆ  上板部
４  フレーム部材（短辺側）
５  端子ボックス
６  電気ケーブル
７  コネクタ
１０  架台
２０  架台固定金具
３０  モジュール固定金具
３５  締結ボルト
４０  モジュール間カバー
５０  モジュール固定金具
６０  モジュール間カバー
７０  フロントカバー
【発明を実施するための最良の形態】
【００１３】
以下に、本発明にかかる太陽電池ユニットの取付装置の実施の形態を図面に基づいて詳細に説明する。なお、この実施の形態によりこの発明が限定されるものではない。【００１４】
実施の形態１．
図１は、本発明にかかる太陽電池ユニットの取付装置の実施の形態１の構成を示す図である。図１〜図１１にしたがってこの発明の実施の形態１について説明する。図１は各構成要素の分解斜視図、図２は隣接配置された太陽電池モジュール間での電気ケーブルの結成態様を示す図、図３は太陽電池ユニットの取付装置の全体的概略断面図、図４は長辺側のフレーム部材を示す三面図、図５は短辺側のフレーム部材を示す三面図、図６は太陽電池ユニットの取付装置の要部を示す断面図、図７は架台と架台固定金具との連結を示すための斜視図、図８はモジュール固定金具とモジュール間カバーとの連結を示すための斜視図、図９は架台に対する太陽電池モジュールの設置手順を説明するための斜視図、図１０は架台に対する太陽電池モジュールの設置手順を説明するための正面図、図１１は切欠きの無いフレーム部材を用いた場合の不具合を説明するための正面図である。【００１５】
図１〜図３に示すように、本実施の形態１のシステム構成では、複数の太陽電池モジュール１と、太陽電池モジュール１を支持する長尺の上凸状で下側が開口されている架台１０と、複数箇所で架台１０を屋根に固定するための複数の架台固定金具２０と、複数箇所で太陽電池モジュール１を架台１０に固定するためのモジュール固定金具３０と、内部保護と美観を得るために太陽電池モジュール１間に設けられるモジュール間カバー４０と、フロント部およびリア部に設けられるフロントカバー７０などを備えている。【００１６】
太陽電池モジュール１は、太陽電池本体部としての太陽電池ユニット２と、枠体としてのフレーム部材３，４とによって構成されている。太陽電池ユニット２は、長方形の平板形状を呈し、マトリクス状に配置された複数の太陽電池セル、保護ガラス板および耐候フィルムなどによって構成されている。太陽電池ユニット２の裏面には、１〜複数の端子ボックス５が設けられており、この端子ボックス５には電気出力を取り出すための電気ケーブル６が接続されている。電気ケーブル６の先端には、図２に示すように、コネクタ７が接続されている。【００１７】
太陽電池ユニット２の各端部に取り付けられるフレーム部材は、一対の長辺側のフレーム部材３と、一対の短辺側のフレーム部材４とから成る。長辺側のフレーム部材３には、図４に示すように、電気ケーブル６を挿通するための孔である複数のブッシュ３ａと、アース線固定用孔３ｂが形成されている。また、フレーム部材３の上部には、太陽電池ユニット２の長辺側端部が嵌入される断面Ｃ字状の溝部３ｃが形成されている。この長辺側のフレーム部材３の断面形状が、本発明の要部を成しているが、その詳細は後述する。【００１８】
短辺側のフレーム部材４には、図５に示すように、両端のほぼ中央部に、切欠き４ａが形成されている。また、短辺側のフレーム部材４の上部にも、太陽電池ユニット２の短辺側端部が嵌入される断面Ｃ字状の溝部４ｃが形成されている。また、短辺側のフレーム部材４には、長辺側のフレーム部材４とビス連結するための複数のビス孔４ｄが形成されている。【００１９】
図６は、図３に示した３箇所の取付構造における中央の取付構造を拡大して示したものである。図６において、段部を有する上凸形状の長尺の架台１０は、図１にも示したように、複数の架台固定金具２０によって屋根に固定されている。図７にも、架台１０と架台固定金具２０との連結状態が示されている。この場合、架台１０は、下側に開口部を有し、三段の階段状の上凸形状を呈しており、最上段の天面部（上面部）１０ａ、第２段の床板部１０ｂ、第１段の床板部１０ｃおよび着座部１０ｄを有している。【００２０】
一方、架台固定金具２０においては、底板部２０ａと、底板部２０ａの中央部から突出された凸部２０ｂと、凸部２０ｂの両側で底板部２０ａから立ち上がるフック(掛け止め)
状の一対の架台押え部２０ｃとが形成されている。この場合、架台押え部２０ｃは、先端が屈曲された略Ｃ字形状を呈しているが、屈曲された先端部を無くしたＬ字状としてもよい。凸部２０ｂの幅Ｗは、凸部２０ｂの側壁が架台１０の着座部１０ｄから立設されている第１段の側板部１０ｅに当接するように設定されている。また、架台押え部２０ｃと底板部２０ａとの間、および架台押え部２０ｃの先端部と凸部２０ｂの側壁との間には、架台１０を図７の矢印Ａ方向にスライド移動させて、架台１０の着座部１０ｄおよび第１段の側板部１０ｅを嵌入させるためのガイド間隙部２０ｄが形成されている。【００２１】
架台１０を屋根に取り付ける際には、例えば、まず複数の架台固定金具２０を屋根上の所望の箇所に配置し、架台固定金具２０のネジ孔２１にねじを挿入して各架台固定金具２０を屋根上にネジ固定する。次に、複数の架台固定金具２０に対し架台１０を挿入し、その後架台押え部２０ｃに形成されたネジ孔２２にねじを挿入して架台１０を架台固定金具２０にネジ固定する。勿論、架台１０に対し複数の架台固定金具２０を挿入した状態で、架台固定金具２０を屋根上にネジ固定するとともに架台１０を架台固定金具２０にネジ固定するようにしてもよい。【００２２】
この架台固定金具２０においては、架台押え部２０ｃによって架台１０の着座部１０ｄを上方から押さえるだけでなく、架台１０の第１段の側板部１０ｅの内側に側板部１０ｅに当接する凸部２０ｂを設け、凸部２０ｂをストッパとして作用させることにより第１段の側板部１０ｅの内側への変形を防止している。すなわち、強風などにより太陽電池モジュール１が吹き上げられて、太陽電池モジュール１に対し上方への外力が作用すると、上凸形状の架台１０に対しても上凸形状の架台１０を持ち上げようとする上方への外力が作用する。このような外力が作用した場合、架台１０の第１段の側板部１０ｅの下端側は、矢印Ｂで示すように内側に変形しようとする。【００２３】
このような変形が発生しようとしたとき、架台固定金具２０に上記ストッパとして機能する凸部２０ｂが形成されていない場合は、第１段の側板部１０ｅは矢印Ｂで示す方向に変形してしまい、結果的に架台１０は架台固定金具２０から離脱してしまうことになる。これに対し、実施の形態１においては、架台１０の第１段の側板部１０ｅの内側に凸部２０ｂを設け、凸部２０ｂを第１段の側板部１０ｅの変形のストッパとして作用させるようにしているので、上記のような外力が作用した場合でも架台１０が架台固定金具２０から離脱することを確実に防止することができる。【００２４】
つぎに、図６などを用いて太陽電池モジュール１の長辺側のフレーム部材３の断面形状について説明する。フレーム部材３の上部には、前述したように、太陽電池ユニット２の端部が嵌入されることによって太陽電池ユニット２を支持するユニット支持部としての溝部３ｃが形成されている。この溝部３ｃに、太陽電池ユニット２の端部を嵌め込んで、太陽電池ユニット２をフレーム部材３に固定する。太陽電池ユニット２とフレーム部材３との間にはクリアランスができるので、このクリアランスを粘着ゴム状のシール材あるいはコーキングなどで封止する。【００２５】
フレーム部材３は、溝部３ｃの下板の端部から該下板に対しほぼ直角に曲折して下方に延在する下方延在部３ｄを有している。この場合は、溝部３ｃの下板の端部から下方延在部３ｄを曲折しているが、溝部３ｃの下板を太陽電池ユニット２側にさらに延在させることにより太陽電池ユニット２のフレーム部材３に対する着座性が安定するよう、下板の途中から下方延在部３ｄを形成するようにしてもよい。この下方延在部３ｄには、図４に示したように、電気ケーブル６の挿通孔としてのブッシュ３ａが形成されている。【００２６】
フレーム部材３は、下方延在部３ｄの下側に、架台１０とモジュール固定金具３０とで挟持固定される被挟持部３ｅを有している。この場合、被挟持部３ｅは、四角筒状に形成され、架台１０の第１段の床板部１０ｃとモジュール固定金具３０の締付け部３０ａとの間で挟持固定される。被挟持部３ｅは、架台１０とモジュール固定金具３０との間で、所要の締め代を確保するべく、下方延在部３ｄからモジュール固定金具３０の配置側にほぼ直角に突出形成されている。なお、この場合は、被挟持部３ｅを四角筒状に形成したが、平板で構成するようにしてもよい。【００２７】
ここで、フレーム部材３は、溝部３ｃの下板の端部からＬ字状に形成されることにより、太陽電池ユニット２の延長領域以外であって太陽電池ユニット２およびフレーム部材３の溝部３ｃを直下方に投影した投影面領域の内側に被挟持部３ｅが位置するように形成されている。別言すれば、被挟持部３ｅは、太陽電池ユニット２の延長領域以外であって太陽電池ユニット２の端部のほぼ直下方にあるように形成されている。このため、本構成では、隣接する太陽電池モジュール１間の距離としては、締結ボルト３５のネジ部の径分だけしか必要でなくなり、隣接する太陽電池モジュール１間の距離を従来に比べ、狭くすることができるようになる。【００２８】
図８は、モジュール固定金具３０およびモジュール間カバー４０の分解図を示している。モジュール固定金具３０においては、中央部に、締結ボルト３５が螺合されるボルト孔３０ｂおよびフレーム部材３の被挟持部３ｅの上板部３ｆに当接する比較的長尺の締付け部３０ａが形成されている。また、モジュール固定金具３０の両端部側には、架台１０の第２段の床板部１０ｂに当接する短尺の補助締付け部３０ｃが形成されている。また、モジュール固定金具３０の両端部には、モジュール間カバー４０のレール体４０ｃに係合してモジュール間カバー４０のスライド移動をガイドして、モジュール間カバー４０を支持するためのガイド支持部３０ｄが立設されている。この場合、モジュール固定金具３０は板金薄板で形成されている。【００２９】
モジュール間カバー４０は、内部保護と美観を得るために太陽電池モジュール１間に設けられるものであり、上面が平らな上板４０ａ、側板４０ｂおよびＴ字状のガイドレールとしてのレール体４０ｃが形成されている。レール体４０ｃは、モジュール間カバー４０の上板４０ａの下面側の中央部に形成されている。モジュール間カバー４０として、上面が平らな形状を採用することができるので、図１５に示した従来技術のように、ボルトの頭部が外部に露出している場合のように、雪などの発電阻止物が引っ掛かって太陽電池モジュール１上を発電阻止体が覆い、発電の妨げをすることなどを防止することができる。また、上面が平らなモジュール間カバー４０のほうが美観的にも好ましい。【００３０】
つぎに、他に図９および図１０を用いて、太陽電池モジュール１を架台１０に固定する手順について説明する。架台固定金具２０によって屋根に固定された架台１０に対し、太陽電池ユニット２に長辺側のフレーム部材３および短辺側のフレーム部材４が固定された太陽電池モジュール１を設置する際には、図９および図１０に示すように、例えば、架台１０の天面部１０ａの角部に、短辺側のフレーム部材４の切欠き４ａおよび長辺側のフレーム部材３の凹部（溝部３ｃの下板、下方延在部３ｄおよび被挟持部３ｅの上板部３ｆで囲まれた部分）を係合させ、その後架台１０の第２段の床板部１０ｂの角部を支点にして太陽電池モジュール１を回転させて、太陽電池モジュール１の端部を、図６に示したように、第１段の床板部１０ｃに載置する。なお、図４および図５に示すように、短辺側のフレーム部材４の切欠き４ａは、長辺側のフレーム部材３の前記凹部とほぼ同じ高さ位置に形成されており、これら切欠き４ａおよび長辺側のフレーム部材３の凹部によって、上凸形状の架台１０の段部に係合可能な凹部を構成している。【００３１】
このような構成を有しているので、太陽電池モジュール１を架台１０に設置する際に、太陽電池モジュール１を架台１０からずれ落とさせることなく架台１０上に簡単に載置することができる。因みに、切欠き４ａがない場合は、図１１に示すように、太陽電池モジュール１は架台１０からずれ落ちることが多くなり、作業性が悪くなる。【００３２】
このようにして、架台１０の両側に太陽電池モジュール１，１が載置された状態で、１つのモジュール固定金具３０を、補助締付け部３０ｃが架台１０の第２段の床板部１０ｂの上に位置し、締付け部３０ａがフレーム部材３の被挟持部３ｅの上板部３ｆの上に位置するように載置し、締結ボルト３５をモジュール固定金具３０のボルト孔３０ｂに挿入して締めることによって、太陽電池モジュール１のフレーム部材３をモジュール固定金具３０と架台１０との間に挟持固定する。同様にして、複数のモジュール固定金具３０を用いて、２つの太陽電池モジュール１を架台１０の両側に固定する。【００３３】
このようにして、図２に示したように、１つの架台１０の両側に一対の太陽電池モジュール１が設置される。なお、端子ボックス５に接続されている電気ケーブル６は、太陽電池モジュール１を架台１０に固定する前に、フレーム部材３に形成されたブッシュ３ａから引き出しておく。つぎに、引き出された２つの電気ケーブル６をコネクタ７によって接続することにより、隣接する太陽電池モジュール１間を電気接続する。【００３４】
本装置においては、図２，図３に示すように、フレーム部材３に電気ケーブル６を引き出すためのブッシュ３ａを設け、引き出した電気ケーブル６を、一対の対向するフレーム部材３および上凸形状の架台１０によって囲まれたスペースに収納するようにしている。このため、電気ケーブルの収納位置が従来に比べ浅くなり、ケーブルの結線、収納、取り出し作業が極めて容易になる。また、太陽電池モジュール１間のスペースには、従来のように、フランジ部１０１ｂ（図１５参照）が設けられていないので、開口部が広くなり、ケーブルの収納、取出し作業などの作業性が向上するという利点もある。【００３５】
つぎに、モジュール間カバー４０のレール体４０ｃを、図８の矢印Ｃに示すように、複数のモジュール固定金具３０のガイド支持部３０ｄに挿入して、太陽電池モジュール１間にモジュール間カバー４０を設置する。以上のようにして、太陽電池モジュール１が隣接する箇所での太陽電池モジュール１の設置作業が終了する。【００３６】
なお、フロントカバー７０を設置するフロント部およびリア部では、図３に示すように、架台１０の一方に太陽電池モジュール１を設置し、他方にフロントカバー７０を設置した状態で、モジュール固定金具３０を締結ボルト３５によって締結することで、フロントカバー７０を太陽電池モジュール１と同様、モジュール固定金具３０と架台１０との間に挟持固定する。そして、同様にして、モジュール間カバー４０をモジュール固定金具３０に取り付けることによって、太陽電池モジュール１とフロントカバー７０との間にモジュール間カバー４０を設置する。【００３７】
以上説明したように、実施の形態１によれば、フレーム部材３の被挟持部３ｅが、太陽電池ユニット２およびフレーム部材３の溝部３ｃを直下方に投影した投影面領域の内側に位置するように形成されているので、隣接する太陽電池モジュール１間の距離としては、基本的には締結ボルト３５のネジ部の径分だけしか必要でなくなり、無発電部である隣接する太陽電池モジュール１間の距離を従来に比べ狭くすることができるようになる。また、フレーム部材３に電気ケーブル６を引き出すためのブッシュ３ａを設け、一対の対向するフレーム部材３および上凸形状の架台１０によって囲まれたスペースに電気ケーブル６を収納するようにしているので、電気ケーブルを開口部から近い、浅い位置に収納することができ、ケーブルの結線、収納、取り出し作業が極めて容易になる。【００３８】
実施の形態２．
つぎに、図１２に従ってこの発明の実施の形態２を説明する。図１２は実施の形態２の太陽電池ユニットの取付装置の要部を示す一部断面図である。図１２に示す実施の形態２においては、太陽電池モジュール１間の間隔を先の実施の形態１よりもさらに狭くするようにしている。【００３９】
すなわち、架台１０´は二段の階段状の上凸形状とするとともに、モジュール固定金具３０´は、実施の形態１のモジュール固定金具３０から補助締付け部３０ｃを削除したものを用いている。したがって、架台１０´、モジュール固定金具３０´、モジュール間カバー４０´は、実施の形態１のものに比べ幅狭のものを採用することができ、太陽電池モジュール１間の間隔を狭くすることが可能となる。先の実施の形態１と同等の機能を達成する構成要素については、同じ符号を付しており、重複する説明は省略する。【００４０】
実施の形態３．
つぎに、図１３および図１４に従ってこの発明の実施の形態３を説明する。図１３は実施の形態３の太陽電池ユニットの取付装置の要部を示す一部断面図である。図１４はモジュール固定金具５０とモジュール間カバー６０との連結を示すための斜視図である。【００４１】
この実施の形態３においては、実施の形態１のモジュール固定金具３０，モジュール間カバー４０とは異なる形状のモジュール固定金具５０，モジュール間カバー６０を採用するようにしている。その他の構成要素は、実施の形態１のものと同じであり、重複する説明は省略する。【００４２】
モジュール間カバー６０は、上面が平らな上板６０ａ、側板６０ｂおよびＬ字状のガイドレールとしてのレール体６０ｃが形成されている。レール体６０ｃは、モジュール間カバー４０の両側端部に形成されている。【００４３】
モジュール固定金具５０は、先のモジュール固定金具３０に比べ、肉厚の形状を有している。モジュール固定金具５０においては、締結ボルト３５が螺合されるボルト孔５０ｂが中央部に形成されており、さらに両側端部にフレーム部材３の被挟持部３ｅの上板部３ｆに当接する締付け部５０ａが形成され、その内側には架台１０の第２段の床板部１０ｂに当接する補助締付け部５０ｃが形成されている。また、モジュール固定金具５０の上面から、モジュール間カバー６０の一対のレール体６０ｃに係合してモジュール間カバー６０のスライド移動をガイドして、モジュール間カバー６０を支持するためのＬ字状のガイド支持部５０ｄが立設されている。【００４４】
この場合、モジュール固定金具５０の長さＬａは、図１３、図１４に示す状態からモジュール固定金具５０をボルト孔５０ｂを軸として９０度回転させた状態で、対向する一対の太陽電池モジュール１，１間に、すなわち一対の対向するフレーム部材３，３間に、落とし込み可能な長さＬａを有している。すなわち、図１３に示す状態では、モジュール固定金具５０を太陽電池モジュール１，１間に落とし込むことができないので、まず９０度回転させた状態でモジュール固定金具５０を太陽電池モジュール１，１間に落とし込み、その後さらに９０度回転させて正規の位置に設置するようにする。そして、モジュール固定金具５０のボルト固定が終了した後、モジュール間カバー６０をモジュール固定金具５０に挿入固定する。
【産業上の利用可能性】
【００４５】
以上のように、本発明にかかる太陽電池ユニットの取付装置は、屋根、屋上などに設置される太陽光発電システムに有用である。
【図１】
2006016412.tif 000002
【図２】
2006016412.tif 000003
【図３】
2006016412.tif 000004
【図４】
2006016412.tif 000005
【図５】
2006016412.tif 000006
【図６】
2006016412.tif 000007
【図７】
2006016412.tif 000008
【図８】
2006016412.tif 000009
【図９】
2006016412.tif 000010
【図１０】
2006016412.tif 000011
【図１１】
2006016412.tif 000012
【図１２】
2006016412.tif 000013
【図１３】
2006016412.tif 000014
【図１４】
2006016412.tif 000015
【図１５】
2006016412.tif 000016
【図１６】
2006016412.tif 000017
【国際調査報告】
2006016412.tif 000018
2006016412.tif 000019